(57)【要約】【課題】構造の簡略化及びコスト削減を実現し、さらに、装置の大型化を抑止する。【解決手段】エレベータ操作盤１が、開口部２１ａを有する収納ボックス２１と、開口部２１ａを塞ぐフェースプレート２２と、そのフェースプレート２２の内面に設けられたベースプレート２３と、フェースプレート２２から露出して入力操作可能にベースプレート２３に設けられた複数の入力ボタン１１ａ〜１１ｈと、ベースプレート２３に設けられ電気的な接続を行うためのコネクタ３２と、ベースプレート２３に設けられ複数の入力ボタン１１ａ〜１１ｈとコネクタ３２とを電気的に接続する配線パターン層３１とを備える。【選択図】図３
2012030935.tif 000002
【特許請求の範囲】
【請求項１】
開口部を有する収納ボックスと、
前記開口部を塞ぐフェースプレートと、
前記フェースプレートの内面に設けられたベースプレートと、
前記フェースプレートから露出して入力操作可能に前記ベースプレートに設けられた複数の入力ボタンと、
前記ベースプレートに設けられ、電気的な接続を行うためのコネクタと、
前記ベースプレートに設けられ、前記複数の入力ボタンと前記コネクタとを電気的に接続する配線パターン層と、
を備えることを特徴とするエレベータ操作盤。
【請求項２】
前記ベースプレートと前記配線パターン層との間に設けられ、前記ベースプレートと前記配線パターン層とを電気的に絶縁する絶縁パターン層を備えることを特徴とする請求項１記載のエレベータ操作盤。
【請求項３】
前記配線パターン層及び前記絶縁パターン層に加え、前記ベースプレートと前記絶縁パターン層との間に設けられた接着層を有するシート部材を備えることを特徴とする請求項２記載のエレベータ操作盤。
【請求項４】
前記収納ボックスの内面に前記コネクタに連結可能に設けられたボックスコネクタを備えることを特徴とする請求項１、２又は３記載のエレベータ操作盤。
【請求項５】
前記入力ボタンは、前記配線パターン層に対する接触及び非接触によりオンオフ信号を出力することを特徴とする請求項１、２、３又は４記載のエレベータ操作盤。
【発明の詳細な説明】
【技術分野】
【０００１】
本発明の実施形態は、エレベータ操作盤に関する。
【背景技術】
【０００２】
エレベータの乗りかご内や乗り場には、乗客となる利用者によりかご呼びや乗場呼び等の入力操作が行われるエレベータ操作盤が設置されている（例えば、特許文献１参照）。乗りがご内のエレベータ操作盤には、階床毎のかご呼びボタン、戸開ボタン、戸閉ボタン及び非常呼びボタン等の多数のボタンが設けられている。これらのボタンには、信号送信や点灯用の電線としてハーネスが個別に接続されており、全てのハーネスはエレベータ操作盤内に収納されている。
【先行技術文献】
【特許文献】
【０００３】
【特許文献１】特開平３−１９５６７７号公報
【発明の概要】
【発明が解決しようとする課題】
【０００４】
しかしながら、前述のエレベータ操作盤では、ハーネスがボタン毎に設けられているため、部品点数が多くなり、その構造は複雑化してしまい、加えて、コストも上がってしまう。特に、構造の複雑化は組立作業の作業性を悪化させる要因にもなっている。また、エレベータ操作盤内に多数のハーネスを収納するため、それに合わせてエレベータ操作盤は大型化してしまう。
【０００５】
本発明は上記を鑑みてなされたものであり、その目的は、構造の簡略化及びコスト削減を実現することができ、さらに、装置の大型化を抑止することができるエレベータ操作盤を提供することである。
【課題を解決するための手段】
【０００６】
本発明の実施形態に係るエレベータ操作盤は、開口部を有する収納ボックスと、開口部を塞ぐフェースプレートと、フェースプレートの内面に設けられたベースプレートと、フェースプレートから露出して入力操作可能にベースプレートに設けられた複数の入力ボタンと、ベースプレートに設けられ、電気的な接続を行うためのコネクタと、ベースプレートに設けられ、複数の入力ボタンとコネクタとを電気的に接続する配線パターン層とを備える。
【図面の簡単な説明】
【０００７】
【図１】本発明の第１の実施形態に係る乗りがご内のエレベータ操作盤を示す図である。
【図２】図１のエレベータ操作盤を示す断面図である。
【図３】図１のエレベータ操作盤を示す分解斜視図である。
【図４】図２及び図３のエレベータ操作盤が備えるベースプレートの裏面を示す図である。
【図５】図４のＡ１−Ａ１線断面図である。
【図６】本発明の第２の実施形態に係る乗りがご内のエレベータ操作盤が備えるベースプレート上のシート部材を示す断面図である。
【図７】本発明の第３の実施形態に係る乗りがご内のエレベータ操作盤が備えるボタンの概略構成を示す断面図である。
【発明を実施するための形態】
【０００８】
（第１の実施形態）
本発明の第１の実施形態について図１ないし図５を参照して説明する。
【０００９】
図１に示すように、本発明の第１の実施形態に係るエレベータ操作盤１は、開閉可能なドア２を備える乗りかご３内に設けられており、ドア２に向かって例えば右側の壁面に設置されている。
【００１０】
このエレベータ操作盤１には、複数のかご呼びボタン１１ａ、１１ｂ、１１ｃ、１１ｄ、１１ｅと、非常呼びボタン１１ｆ、戸開ボタン１１ｇ及び戸閉ボタン１１ｈと、階床表示器１２ａ、上昇矢印表示器１２ｂ及び下降矢印表示器１２ｃとが設けられている。
【００１１】
かご呼びボタン１１ａ〜１１ｅは行先階を指定するための行先階指定ボタンであり、非常呼びボタン１１ｆはエレベータ管理センター等に非常発生を知らせるための報知ボタンである。また、戸開ボタン１１ｇは乗りかご３のドア２の開延長を指示するための指示ボタンであり、戸閉ボタン１１ｈは乗りかご３のドア２の閉動作を指示するための指示ボタンである。なお、これ以降、かご呼びボタン１１ａ〜１１ｅ、非常呼びボタン１１ｆ、戸開ボタン１１ｇ及び戸閉ボタン１１ｈを単にボタン１１ａ〜１１ｈと記載する。
【００１２】
前述のボタン１１ａ〜１１ｈは利用者により入力操作される入力ボタンであり、そのボタン１１ａ〜１１ｈが利用者により入力操作されると、これに応じてオンオフ信号がエレベータ制御盤（図示せず）に出力される。各ボタン１１ａ〜１１ｈの内部には、スイッチ機構や照明装置（いずれも図示せず）が設けられている。スイッチ機構としては、プッシュ式のスイッチや静電式のタッチスイッチ、光学式のタッチスイッチ等が用いられる。また、照明装置としては、例えば、ＬＥＤ（発光ダイオード）や有機ＥＬ（エレクトロルミネッセンス）等の発光素子が用いられる。なお、照明装置は点灯や消灯によりスイッチのオン状態やオフ状態を乗りかご３内の利用者に報知するものである。
【００１３】
階床表示器１２ａはエレベータ制御盤による制御に応じて乗りかご３の現在位置を階床番号で表示する。また、上昇矢印表示器１２ｂはエレベータ制御盤による制御に応じて上昇中を示す矢印を表示し、下降矢印表示器１２ｃはエレベータ制御盤による制御に応じて下降中を示す矢印を表示する。これらの階床表示器１２ａ、上昇矢印表示器１２ｂ及び下降矢印表示器１２ｃが乗りかご３内の利用者により視認され、乗りかご３の移動状況が利用者により把握される。
【００１４】
図２及び図３に示すように、エレベータ操作盤１は、開口部２１ａを有する収納ボックス２１と、その開口部２１ａを塞ぐフェースプレート２２と、そのフェースプレート２２の裏面に設けられたベースプレート２３とを備えている。
【００１５】
収納ボックス２１は開口する箱形状に形成されており、その開口部２１ａが乗りかご３内の利用者側に向けられて乗りかご３の壁面に設置されている。また、フェースプレート２２は収納ボックス２１の開口部２１ａを塞ぐように収納ボックス２１に取り付けられている。ベースプレート２３は、裏打板としてフェースプレート２２の裏面、すなわち収納ボックス２１側の面（内面）に取り付けられている。
【００１６】
フェースプレート２２には、各ボタン１１ａ〜１１ｈを入力操作可能にそれらの一部を露出させる複数の貫通孔２２ａ、２２ｂ、２２ｃ、２２ｄ、２２ｅ、２２ｆ、２２ｇ（図３参照）、２２ｈが設けられている。また、ベースプレート２３には、各ボタン１１ａ〜１１ｈを取り付けるための複数の取付孔２３ａ、２３ｂ、２３ｃ、２３ｄ、２３ｅ、２３ｆ、２３ｇ（図３参照）、２３ｈ、２３ｉ、２３ｊ（図３参照）、２３ｋが設けられている。これらの取付孔２３ａ〜２３ｋも貫通孔である。
【００１７】
なお、本発明の実施形態では、取付孔２３ｉ、取付孔２３ｊ及び取付孔２３ｋはボタンが増設される際に用いられる。ボタンが増設された場合には、そのボタンに対応する位置に貫通孔を有するフェースプレートが用いられる。
【００１８】
ボタン１１ａは、ベースプレート２３の裏面Ｍ１側から対応する取付孔２３ａ及び貫通孔２２ａに通され、ベースプレート２３の裏面Ｍ１に例えばネジ等の固定部材（図示せず）により取り付けられる。他のボタン１１ｂ〜１１ｈも同様に対応する貫通孔２２ｂ〜２２ｈ及び取付孔２３ｂ〜２３ｈに通されベースプレート２３の裏面Ｍ１に取り付けられる。なお、ベースプレート２３は各ボタン１１ａ〜１１ｈを支持する支持板として機能する。
【００１９】
図４に示すように、ベースプレート２３の裏面Ｍ１には、各取付孔２３ａ〜２３ｋから伸びる配線パターン層３１と、その配線パターン層３１に電気的に接続されたコネクタ３２とが設けられている（図３も参照）。
【００２０】
配線パターン層３１は、ベースプレート２３に取り付けられた各ボタン１１ａ〜１１ｈをそれぞれコネクタ３２に電気的に接続する導電層である。すなわち、ボタン１１ａ〜１１ｈ毎に信号送信や点灯用の配線パターンがベースプレート２３の裏面Ｍ１上に形成されており、それらの集合体が配線パターン層３１を形成している。なお、各ボタン１１ａ〜１１ｈがベースプレート２３の裏面Ｍ１に固定されて取り付けられると、各ボタン１１ａ〜１１ｈの接点箇所がそれぞれ配線パターン層３１に接触して電気的な接続も完了する。
【００２１】
ここで、図５に示すように、ベースプレート２３の裏面Ｍ１と配線パターン層３１との間には、絶縁パターン層３３が設けられている。この絶縁パターン層３３は、配線パターン層３１の平面形状に合わせてベースプレート２３の裏面Ｍ１上に形成されている。なお、絶縁パターン層３３及び配線パターン層３１は、例えば印刷や蒸着等によりベースプレート２３の裏面Ｍ１上に積層されて形成されている。
【００２２】
前述の絶縁パターン層３３は、ベースプレート２３が金属等の導電性を有する材料により形成されているため必要であり、配線パターン層３１からベースプレート２３に電気が流れることを防止する。一方、ベースプレート２３が絶縁性を有する材料により形成されている場合には、前述の絶縁パターン層３３を省くことが可能であり、ベースプレート２３の裏面Ｍ１上に直接配線パターン層３１を形成すれば良い。ただし、ベースプレート２３が必要とする強度や剛性等を得るためには、ベースプレート２３の材料として金属等の材料を用いることが望ましい。
【００２３】
図２及び図３に戻り、コネクタ３２は、ベースプレート２３の裏面Ｍ１上に立設されており、その裏面Ｍ１上の配線パターン層３１に電気的に接続されている。したがって、コネクタ３２は、ベースプレート２３に取り付けられた各ボタン１１ａ〜１１ｈに配線パターン層３１を介して電気的に接続されることになる。
【００２４】
このコネクタ３２には、外部接続用のボックスコネクタ４１が接続される。このボックスコネクタ４１は、収納ボックス２１の内面に固定されてコネクタ３２に連結可能に設けられている。ボックスコネクタ４１から伸びる電線４２は、収納ボックス２１の壁面に形成された貫通孔２１ｂを通して引き出され、エレベータ制御盤に接続されている。これにより、収納ボックス２１の内部には電線が存在しなくなる。
【００２５】
次に、前述のエレベータ操作盤１を組み立てる組立作業について図３を参照して説明する。
【００２６】
まず、各ボタン１１ａ〜１１ｈがベースプレート２３の裏面Ｍ１に固定されて取り付けられる。この取付作業と同時に各ボタン１１ａ〜１１ｈと配線パターン層３１との電気的な接続も完了する。その後、ベースプレート２３の表面にフェースプレート２２が取り付けられ、さらに、その取付済のベースプレート２３が収納ボックス２１に取り付けられる。この取付作業と同時にベースプレート２３の裏面Ｍ１上のコネクタ３２と収納ボックス２１のボックスコネクタ４１との接続も完了する。なお、ベースプレート２３に対する各ボタン１１ａ〜１１ｈの取付前に、ベースプレート２３に対するフェースプレート２２の取付が行われても良い。
【００２７】
このように組立作業では、配線パターン層３１により従来のようにボタン１１ａ〜１１ｈ毎にハーネスを用いることが無くなり、その結果、ハーネスの接続作業が省略されるので、組立作業を簡略化することができる。特に、各ボタン１１ａ〜１１ｈがベースプレート２３の裏面Ｍ１に取り付けられると同時に、各ボタン１１ａ〜１１ｈと配線パターン層３１との電気的な接続も完了し、さらに、フェースプレート２２取付済のベースプレート２３が収納ボックス２１に取り付けられると同時に、ベースプレート２３の裏面Ｍ１上のコネクタ３２と収納ボックス２１のボックスコネクタ４１との接続も完了することから、組立作業をより簡略化することができる。
【００２８】
以上説明したように、本発明の第１の実施形態によれば、ベースプレート２３の裏面Ｍ１上に、コネクタ３２と、そのコネクタ３２と各入力ボタン１１ａ〜１１ｈとを電気的に接続する配線パターン層３１とを設けることによって、従来のボタン１１ａ〜１１ｈ毎のハーネスが不要となり、部品点数を減らすことが可能となるので、エレベータ操作盤１の構造を簡略化することができ、さらに、そのコストも削減することができる。加えて、構造の簡略化により組立作業の作業性を向上させることができる。また、ハーネスが不要となり、収納ボックス２１に多数のハーネスを収納する必要も無くなるので、エレベータ操作盤１を小型化することが可能になり、その大型化を抑止することができる。
【００２９】
（第２の実施形態）
本発明の第２の実施形態について図６を参照して説明する。
【００３０】
本発明の第２の実施形態は基本的に第１の実施形態と同様である。第２の実施形態では、第１の実施形態との相違点について説明し、第１の実施形態で説明した部分と同一部分は同一符号で示し、その説明も省略する。
【００３１】
図６に示すように、本発明の第２の実施形態に係るエレベータ操作盤では、シート部材５１が用いられる。このシート部材５１は、配線パターン層３１及び絶縁パターン層３３に加え、ベースプレート２３の裏面Ｍ１と絶縁パターン層３３との間に設けられた接着層５１ａを有している。
【００３２】
詳述すると、シート部材５１は接着層５１ａ、絶縁パターン層３３及び配線パターン層３１の三層構造であり、絶縁パターン層３３がシート部材５１の基体として機能する。基体となる絶縁パターン層３３は例えば可撓性を有する樹脂材料により形成されており、その基体の表面上に印刷や蒸着等により配線パターン層３１が形成されており、さらに、その基体の裏面上に塗布や印刷等により接着層５１ａが形成されている。この接着層５１ａはシート部材５１をベースプレート２３の裏面Ｍ１に固着させる固着材として機能する。
【００３３】
このようなシート部材５１をベースプレート２３の裏面Ｍ１に取り付ける際には、シート部材５１の接着層５１ａがベースプレート２３の裏面Ｍ１に向けられ、その状態のシート部材５１がベースプレート２３の裏面Ｍ１上に載置されて貼り付けられる。なお、取付前のシート部材５１の接着層５１ａは保護シート（図示せず）等により保護されているため、取付時には、その保護シートが取り除かれる。
【００３４】
以上説明したように、本発明の第２の実施形態によれば、第１の実施形態と同様の効果を得ることができる。さらに、接着層５１ａを有するシート部材５１を用いることによって、ベースプレート２３の裏面Ｍ１にシート部材５１を貼り付けて設けることが可能になるので、印刷や蒸着等によりベースプレート２３の裏面Ｍ１に配線パターン層３１を直接形成する場合に比べ、ベースプレート２３の裏面Ｍ１に容易に配線パターン層３１を形成することができる。
【００３５】
特に、エレベータ制御盤１の組立作業中にも、ベースプレート２３の裏面Ｍ１にシート部材５１を貼り付けることで、ベースプレート２３の裏面Ｍ１に配線パターン層３１を形成することが可能であり、配線パターン層３１のパターンを自由に変更し、ボタン等の機器の増設にも容易に対応することができる。
【００３６】
（第３の実施形態）
本発明の第３の実施形態について図７を参照して説明する。
【００３７】
本発明の第３の実施形態は基本的に第１の実施形態と同様である。第３の実施形態では、第１の実施形態との相違点について説明し、第１の実施形態で説明した部分と同一部分は同一符号で示し、その説明も省略する。
【００３８】
図７に示すように、本発明の第３の実施形態に係るエレベータ操作盤では、各ボタン１１ａ〜１１ｈとして、配線パターン層３１をスイッチの一部とするボタン６１が設けられている。
【００３９】
このボタン６１は、ボタン本体６１ａと、そのボタン本体６１ａを支持する支持体６１ｂと、その支持体６１ｂを乗りかご３内の利用者から見て前後方向（図７中の左右方向）に移動可能に保持する複数の保持部材６１ｃ、６１ｄと、支持体６１ｂを前方向（図７中の左方向）に付勢する複数の付勢部材６１ｅ、６１ｆと、ベースプレート２３上の配線パターン層３１と接触可能に支持体６１ｂに設けられた接点部材６１ｇと、ベースプレート２３上に設けられた被当接部材６１ｈとを備えている。
【００４０】
ボタン本体６１ａは、利用者により押される被押圧部材であり、その一部をフェースプレート２２から露出させて支持体６１ｂ上に設けられている。支持体６１ｂは、例えば絶縁性を有する材料により板状に形成されており、ボタン本体６１ａに対する押圧の有無により前後方向に移動可能に各保持部材６１ｃ、６１ｄに設けられている。この支持体６１ｂには、各保持部材６１ｃ、６１ｄに対応する複数の貫通孔Ｋ１、Ｋ２が設けられている。
【００４１】
各保持部材６１ｃ、６１ｄは、それぞれ対応する貫通孔Ｋ１、Ｋ２に通されてベースプレート２３上に立設されており、移動する支持体６１ｂを保持して前後方向に案内する。これらの保持部材６１ｃ、６１ｄとしては、例えばボルトやネジ等が用いられる。また、各付勢部材６１ｅ、６１ｆは、各保持部材６１ｃ、６１ｄにより移動可能に保持された支持体６１ｂを前方向に付勢するように２つの保持部材６１ｃ、６１ｄに個別に設けられている。これらの付勢部材６１ｅ、６１ｆとしては、例えばコイルスプリングや板ばね等が用いられる。
【００４２】
接点部材６１ｇは金属等の導電性を有する材料により例えば印刷や蒸着等により形成されており、支持体６１ｂの上端部であってボタン本体６１ａ側の面上にベースプレート２３上の配線パターン層３１に対向させて設けられている。また、被当接部材６１ｈは、各付勢部材６１ｅ、６１ｆにより付勢された支持体６１ｂの下端部に当接し、その支持体６１ｂをベースプレート２３に対してほぼ平行にする部材である。これにより、支持体６１ｂ上の接点部材６１ｇがベースプレート２３上の配線パターン層３１に対して良好に接触するため、接触不良が防止される。
【００４３】
このような構成のボタン６１は、通常、支持体６１ｂ上の接点部材６１ｇがベースプレート２３上の配線パターン層３１に当接し、さらに、支持体６１ｂの下端部がベースプレート２３上の被当接部材６１ｈに当接した状態になっている。この状態がオフ状態としてエレベータ制御盤により認識されている。この状態で、利用者によりボタン本体６１ａが押されると、そのボタン本体６１ａを支持する支持体６１ｂが後方向（図７中の右方向）に移動し、支持体６１ｂ上の接点部材６１ｇがベースプレート２３上の配線パターン層３１から離れる。この状態がオン状態としてエレベータ制御盤により認識される。
【００４４】
その後、ボタン本体６１ａが押されなくなると、そのボタン本体６１ａを支持する支持体６１ｂが各付勢部材６１ｅ、６１ｆにより前方向（図７中の左方向）に移動し、支持体６１ｂ上の接点部材６１ｇがベースプレート２３上の配線パターン層３１に当接し、同時に、支持体６１ｂの下端部が被当接部材６１ｈに当接する。この状態がオフ状態としてエレベータ制御盤により認識される。このようにボタン６１は、ベースプレート２３上の配線パターン層３１に対する接触及び非接触によりオンオフ信号を出力することになる。
【００４５】
以上説明したように、本発明の第３の実施形態によれば、第１の実施形態と同様の効果を得ることができる。さらに、ボタン１１ａ〜１１ｈとして、ベースプレート２３上の配線パターン層３１に対する接触及び非接触によりオンオフ信号を出力するボタン６１を用いることによって、従来のスイッチ機構が不要となり、オンオフ信号を出力するための機構を簡略化することが可能になるので、部品点数及びコストの削減を実現することができる。
【００４６】
最後に、本発明に係る前述の実施形態は例示であり、発明の範囲はそれらに限定されない。前述の実施形態は種々変更可能であり、例えば、前述の実施形態に示される全構成要素から幾つかの構成要素が削除されても良く、さらに、異なる実施形態に係る構成要素が適宜組み合わされても良い。
【符号の説明】
【００４７】
１      エレベータ操作盤
２１    収納ボックス
２１ａ  開口部
２２    フェースプレート
２３    ベースプレート
１１ａ  ボタン
１１ｂ  ボタン
１１ｃ  ボタン
１１ｄ  ボタン
１１ｅ  ボタン
１１ｆ  ボタン
１１ｇ  ボタン
１１ｈ  ボタン
３１    配線パターン層
３２    コネクタ
３３    絶縁パターン層
４１    ボックスコネクタ
５１    シート部材
６１    ボタン
【図１】
2012030935.tif 000003
【図２】
2012030935.tif 000004
【図３】
2012030935.tif 000005
【図４】
2012030935.tif 000006
【図５】
2012030935.tif 000007
【図６】
2012030935.tif 000008
【図７】
2012030935.tif 000009